(57)【要約】【課題】扉装置において、回転開き戸方式と引戸方式とのそれぞれの欠点を一挙に解決した扉装置を提供する。【解決手段】扉装置２は、上枠３Ａ、下枠３Ｂ及び左右縦枠３Ｃ、３Ｄからなる枠部３が設けられ、この枠部３に少なくとも召合せ部に対応するフレーム部分を無くした２枚の障子フレーム４，５を前記上枠３Ａ及び下枠３Ｂに沿った方向にスライド可能に設けるとともに、前記各障子フレーム４，５の室内面側に、戸先側を鉛直回転中心軸として回転開き戸方式で開閉可能とした扉６，７を設ける。【選択図】図２
2017036610.tif 000002
【特許請求の範囲】
【請求項１】
開閉可能な扉を備えた扉装置であって、
前記扉装置は、上枠、下枠及び左右縦枠からなる枠部が設けられ、この枠部に少なくとも召合せ部に対応するフレーム部分を無くした２枚の障子フレームを前記上枠及び下枠に沿った方向にスライド可能に設けるとともに、前記各障子フレームに、戸先側を鉛直回転中心軸として回転開き戸方式で開閉可能とした扉を設けたことを特徴とする扉装置。
【請求項２】
前記障子フレームは、水平配向の上框フレームと、この上框フレームの戸先側端部から下側に延びる縦框フレームとからなる逆Ｌ字状フレームとされる請求項１記載の扉装置。
【請求項３】
前記障子フレームは、水平配向の上框フレームと、この上框フレームの戸先側端部から下側に延びる縦框フレームと、この縦框フレームの下端から水平方向に延びる下框フレームとからなるコ字状フレームとされる請求項１記載の扉装置。
【請求項４】
前記扉装置は、扉に設けた磁石と、障子フレームに設けた磁石とにより扉を閉扉状態に保持する閉扉保持手段を備えている請求項１〜３いずれかに記載の扉装置。
【請求項５】
前記扉装置は、扉を閉扉状態と開扉可能状態とに切換え可能な施錠手段を備えている請求項１〜３いずれかに記載の扉装置。
【発明の詳細な説明】
【技術分野】
【０００１】
本発明は、陳列棚、食器棚、本棚、クローゼット等の収納家具の扉や、内装扉、サッシ、冷蔵ショーケースの扉などの扉装置に関する。
【背景技術】
【０００２】
従来より、陳列棚、食器棚、本棚、クローゼット等の収納家具の扉や、内装扉、サッシ、冷蔵ショーケースの扉などの扉装置としては、大別すると回転開き戸方式と引戸方式とがある。
【０００３】
前者の回転開き戸方式としては、例えば下記特許文献１に、箱体の開口部に取り付けられた２枚の扉からなり、前記扉が蝶番によって支持され所謂観音開き式に支持された収納家具が開示されている。後者の引戸方式としては、例えば下記特許文献２に、箱体の開口部に、上レール及び下レールに沿った方向に摺動自在に配設した２枚の引戸を備えた収納家具が開示されている。
【先行技術文献】
【特許文献】
【０００４】
【特許文献１】特開２００３−３２８６５７号公報
【特許文献２】特開２００４−１７６２６２号公報
【発明の概要】
【発明が解決しようとする課題】
【０００５】
前記回転開き戸方式の場合は、扉を大きく開くことができるため、物の出し入れがし易い利点を有する一方で、前方に扉を支障なく開放できるスペースを必要とする欠点を有する。これに対して、前記引戸方式の場合は、片側しか開くことができないため物の出し入れがし難い欠点がある一方で、前方に大きなスペースを必要としない利点を有する。また、引戸方式の場合は片側の引戸幅よりも大きなものを収納することができず、どうしても収納したい場合は、引戸を取り外す必要があった。
【０００６】
そこで本発明の主たる課題は、扉装置において、回転開き戸方式と引戸方式とのそれぞれの欠点を一挙に解決した扉装置を提供することにある。
【課題を解決するための手段】
【０００７】
上記課題を解決するために請求項１に係る本発明として、開閉可能な扉を備えた扉装置であって、
前記扉装置は、上枠、下枠及び左右縦枠からなる枠部が設けられ、この枠部に少なくとも召合せ部に対応するフレーム部分を無くした２枚の障子フレームを前記上枠及び下枠に沿った方向にスライド可能に設けるとともに、前記各障子フレームに、戸先側を鉛直回転中心軸として回転開き戸方式で開閉可能とした扉を設けたことを特徴とする扉装置が提供される。
【０００８】
上記請求項１記載の発明では、前記扉が閉扉された状態では障子フレームと共に、扉を上枠及び下枠に沿った方向にスライド可能であり、所謂引戸方式による開閉操作が可能となる。そして、棚に物を手際良く並べたい時や大きな物を入れたい場合などは、扉を回転開き戸のように開けると、開口部を大きく開放することが可能となり、作業性が大幅に向上できるようになるとともに、引戸幅よりも大きな物を簡単に収納できるようになる。このように、本発明の扉装置は、操作者が任意に引戸方式か回転開き戸方式かを選択して扉を開閉できるため、回転開き戸方式と引戸方式とのそれぞれが持つ欠点を一挙に解決できるようになる。
【０００９】
請求項２に係る本発明として、前記障子フレームは、水平配向の上框フレームと、この上框フレームの戸先側端部から下側に延びる縦框フレームとからなる逆Ｌ字状フレームとされる請求項１記載の扉装置が提供される。
【００１０】
上記請求項２記載の発明では、前記障子フレームの具体的な態様例を示したものである。本第１例の構造は、障子フレームは、水平配向の上框フレームと、この上框フレームの戸先側端部から下側に延びる縦框フレームとからなる逆Ｌ字状フレームとしたものである。
【００１１】
請求項３に係る本発明として、前記障子フレームは、水平配向の上框フレームと、この上框フレームの戸先側端部から下側に延びる縦框フレームと、この縦框フレームの下端から水平方向に延びる下框フレームとからなるコ字状フレームとされる請求項１記載の扉装置が提供される。
【００１２】
上記請求項３記載の発明でも、前記障子フレームの具体的な態様例を示したものである。本第２例の構造は、障子フレームは、水平配向の上框フレームと、この上框フレームの一端から下側に延びる縦框フレームと、この縦框フレームの下端から水平方向に延びる下框フレームとからなるコ字状フレームとしたものである。前記第１例及び本第２例も、召合せ部に対応するフレーム部分を有しないフレーム構造である。
【００１３】
請求項４に係る本発明として、前記扉装置は、扉に設けた磁石と、障子フレームに設けた磁石とにより扉を閉扉状態に保持する閉扉保持手段を備えている請求項１〜３いずれかに記載の扉装置が提供される。
【００１４】
上記請求項４記載の発明では、前記扉に設けた磁石と、前記障子フレームに設けた磁石とにより閉扉状態を保持する閉扉保持手段を備えている。開扉する場合は、扉の召合せ側に手を掛け手前側に引くと、磁石同士の吸着が解除され扉を回転開き戸方式で開くことができる。
【００１５】
請求項５に係る本発明として、前記扉装置は、扉を閉扉状態と開扉可能状態とに切換え可能な施錠手段を備えている請求項１〜３いずれかに記載の扉装置が提供される。
【００１６】
上記請求項５記載の発明では、閉扉状態と開扉可能状態とに切り換え可能な施錠手段を備えている。通常は、この施錠手段により閉扉状態を保持するようにし、扉を回転開き戸方式で開きたい場合は、前記施錠手段を開扉可能状態に操作した後、扉を開くようにする。
【発明の効果】
【００１７】
以上詳説のとおり本発明によれば、扉装置において、回転開き戸方式と引戸方式とのそれぞれの欠点を一挙に解決した扉装置を提供することが可能となる。
【図面の簡単な説明】
【００１８】
【図１】本発明に係る収納家具の正面図である。
【図２】本発明に係る扉装置２の分解斜視図である。
【図３】扉の施錠手段２０を示す図である。
【図４】障子フレームの他例（その１）を示す斜視図である。
【図５】障子フレームの他例（その２）を示す斜視図である。
【発明を実施するための形態】
【００１９】
以下、本発明の実施の形態について図面を参照しながら詳述する。
【００２０】
本発明は、図１に示されるように、収納庫本体１の室内面側開口部に設けられる扉装置２である。具体的に前記扉装置２は、前記収納庫本体１の室内面側開口部に、上枠３Ａ、下枠３Ｂ及び左右縦枠３Ｃ、３Ｄからなる枠部３が設けられ、この枠部３に少なくとも召合せ部に対応するフレーム部分を無くした２枚の障子フレーム４、５を前記上枠３Ａ及び下枠３Ｂに沿った方向にスライド可能に設けるとともに、前記各障子フレーム４、５の室内面側に、戸先側を鉛直回転中心軸として回転開き戸方式で開閉可能とした扉６，７を設けたものである。
【００２１】
以下、更に具体的に詳述する。
【００２２】
前記収納庫本体１は、天板、底板、両側板及び背面板からなる箱体で、箱体の内部には棚が上下方向に多段で設けられている。この箱体の室内面側は開口部となっており、この開口部に前記扉装置２が設けられる。
【００２３】
前記扉装置２は、枠部３と、この枠部３に上枠３Ａ及び下枠３Ｂに沿った方向にスライド可能に設けられる複数の障子フレーム４、５と、各障子フレーム４、５の室内面側に、戸先側を鉛直回転中心軸として回転開き戸方式で開閉可能に設けられる扉６，７とからなる。
【００２４】
前記枠部３は、上枠３Ａ、下枠３Ｂ及び左右縦枠３Ｃ、３Ｄからなる矩形状の枠体であり、前記上枠３Ａは前記障子フレーム４、５を吊持する上ランナ１０が走行するためのレールを兼用し、前記下枠３Ｂは前記障子フレーム４、５の下端を支持する下ランナ１１が走行するためのレールを兼用している。
【００２５】
代表的に前記障子フレーム４について、図２に基づいて説明すると、水平配向の上框フレーム４Ａと、この上框フレーム４Ａの戸先側端部から下側に延びる縦框フレーム４Ｂとからなる逆Ｌ字状フレーム構造となっている。前記上框フレーム４Ａの上側には離間を空けて２つの上ランナ１０，１０が設けられており、前記縦框フレーム４Ｂの下端には下ランナ１１が設けられている。また、障子フレーム４の室内面側であって戸先側の上部に上軸受１２が設けられているとともに、戸先側の下部に下軸受１３が設けられている。図２では、枠部３内の左側に配設される障子フレーム４のみについて図示しているが、図１において枠部３内の右側に配設される障子フレーム５については、召合せ部を境に対称の構造となっている。いずれの障子フレーム４，５も召合せ部に対応するフレーム部分を有しないフレーム構造であり、各障子フレーム４，５は、一方が枠部３の室内側に位置し、他方が枠部３の室外側に位置するように配置され、枠部３内の左右縦枠３Ｃ，３Ｄの間を互いに衝突することなく移動可能となっている。
【００２６】
前記各障子フレーム４，５の室内側面には、回転開き戸方式で開閉可能とした扉６，７がそれぞれ設けられている。代表的に図１で左側の扉６について図２に基づいて詳述すると、扉６は、上框６Ａと、下框６Ｂと左右縦框６Ｃ、６Ｄとからなる枠内にガラスＧが嵌め込まれた扉構造であり、左縦框６Ｃの中間には、把手１８が設けられている。前記上框６Ａの上面には目隠しのために室内側端部位置に扉前面と同面で起立壁６ａが設けられており、前記下框６Ｂの下面には目隠しのために室内側端部位置に扉前面と同面で垂下壁６ｂが設けられている。
【００２７】
前記上框６Ａの上面であって左縦框６Ｃ側（戸先側）の端部位置には上ヒンジ軸１５が設けられ、前記下框６Ｂの下面であって左縦框６Ｃ側（戸先側）の端部位置には下ヒンジ軸１６が設けられている。前記上ヒンジ軸１５を前記障子フレーム４の上軸受１２に貫入状態で支持させ、前記下ヒンジ軸１６を前記障子フレーム４の下軸受１３に貫入状態で支持させることにより、扉６は戸先側を鉛直回転中心軸として回転開き戸方式で開閉可能になっている。図２では、枠部３内の左側に配設される扉６のみについて図示しているが、図１において枠部３内の右側に配設される扉７については、召合せ部を境に対称の構造となっている。
【００２８】
次に、前記扉６を障子フレーム４に対して閉状態に保持し、必要時に開操作可能とするための手段について詳述する。
【００２９】
先ず第１例は、図２に示されるように、前記上框フレーム４Ａの室内面側であって召合せ側に磁石１４が設けられているとともに、前記扉６の上框６Ａの上面であって前記磁石１４の対応位置に磁石１７が設けられており、扉６を閉めた状態では、磁石１４と磁石１７との吸着によって扉６を閉状態に保持する。扉６を開操作した場合には、扉６の召合せ側に手を掛け手前側に引くと、磁石同士の吸着が解除され扉６を回転開き戸方式で開くことができる。また、扉７についても同様に、召合せ側に手を掛け手前側に引くと、磁石同士の吸着が解除され扉７を回転開き戸方式で開くことができる。すなわち、扉６と扉７とは所謂観音開きで開操作することができる。
【００３０】
第２例は、図３に示されるように、障子フレーム４側に施錠装置２０を設け、扉６に対する係合又は係脱によって扉６を閉状態と開扉可能な状態とに切り換え可能としたものである。前記施錠装置２０は、支持筒２１に上下方向にスライド可能に施錠軸２２を保持するとともに、この施錠軸２２に連結された把手２３を持って上下方向に移動操作することにより、施錠軸２２の先端が扉６に設けた係合孔に貫入させた施錠状態と、係合孔から離脱した開扉可能状態とに切り換え可能としたものである。前記把手２３は、例えば両側に配設した板バネによる挟持によって把手２３を所定位置に保持する位置保持具２４により下限位置と上限位置とにそれぞれ保持されるようになっている。
【００３１】
〔他の形態例〕
(1)上記形態例では、障子フレーム４，５は、水平配向の上框フレーム４Ａと、この上框フレーム４Ａの戸先側端部から下側に延びる縦框フレーム４Ｂとからなる逆Ｌ字状フレーム構造としたが、図４に示されるように、水平配向の上框フレーム４Ａと、この上框フレーム４Ａの戸先側端部から下側に延びる縦框フレーム４Ｂと、この縦框フレーム４Ｂの下端から水平方向に延びる下框フレーム４Ｃとからなるコ字状フレーム構造とすることも可能である。該コ字状フレーム構造とした場合は、下框フレーム４Ｃにおいて、２つの下ランナ１１，１１によって支持させることが可能になるため、姿勢状態及び移動状態が安定するようになる。
【００３２】
(2)上記形態例では、障子フレーム４，５は、上框フレーム４Ａの上側には離間を空けて２つの上ランナ１０，１０が設けられ、前記縦框フレーム４Ｂの下端には下ランナ１１が設けられた吊戸形式としたが、図５に示されるように、一般的な窓構造の障子のように、上框フレーム４Ａの上面に前記上枠３Ａに設けた垂下レールに係合する溝２５を形成するとともに、下框フレーム４Ｃの下面に前記下枠３Ｂに設けた軌条レールに係合する溝２６を形成することにより、障子フレーム４，５を枠部３内に水平移動可能に支持するようにしてもよい。
【００３３】
(3)本発明に係る扉構造は、陳列棚、食器棚、本棚、クローゼット等の収納家具の扉以外に、内装扉、サッシ、冷蔵ショーケースの扉などに対しても適用が可能である。
【符号の説明】
【００３４】
１…収納庫本体、２…扉装置、３…枠部、４・５…障子フレーム、６・７…扉、１０…上ランナ、１１…下ランナ、１２…上軸受、１３…下軸受、１４・１７…磁石、１５…上ヒンジ軸、１６…下ヒンジ軸、２０…施錠装置
【図１】
2017036610.tif 000003
【図２】
2017036610.tif 000004
【図３】
2017036610.tif 000005
【図４】
2017036610.tif 000006
【図５】
2017036610.tif 000007